(57)【特許請求の範囲】
【請求項１】
結合されたパケット・データ・ネットワークを介する異なるタイプのサービスをそれぞれサポートする１つまたは複数のパケット・ゲートウェイに関する識別およびアドレス指定情報を提供する方法であって、
ユーザ装置から、サービング・ゲートウェイで接続要求メッセージを受信するステップであって、前記接続要求メッセージは、前記ユーザ装置と前記サービング・ゲートウェイとの間の通信リンクを確立する、ステップと、
前記ユーザ装置から、前記サービング・ゲートウェイで第１登録メッセージを受信するステップであって、前記第１登録メッセージは、デフォルト・サービス・タイプに関する第１ゲートウェイ・アドレス指定情報を有し、前記第１ゲートウェイ・アドレス指定情報は、ブートストラップ登録手続き中に前記ユーザ装置によって受信され、前記サービング・ゲートウェイは、前記第１ゲートウェイ・アドレス指定情報で識別される第１ゲートウェイを介する前記デフォルト・サービス・タイプを使用して前記ユーザ装置との通信の伝送を援助する、ステップと、
前記ユーザ装置から、前記サービング・ゲートウェイで第２ゲートウェイのアドレス指定情報を受信するステップであって、前記第２ゲートウェイは、ドメイン名サービス・サーバから前記ユーザ装置によって受信される前記アドレス指定情報によって識別される、ステップと、
前記第２ゲートウェイから、前記サービング・ゲートウェイで第２登録メッセージを受信するステップであって、前記サービング・ゲートウェイは、前記第２ゲートウェイの登録を援助することにより、前記第２ゲートウェイ・アドレス指定情報で識別される前記第２ゲートウェイを介する第２サービス・タイプを使用して前記ユーザ装置との通信の伝送をサポートする、ステップと
を含む方法。
【請求項２】
前記システムが、Ｌａｙｅｒ３メッセージング・プロトコルの下で動作している、請求項１に記載の方法。
【請求項３】
前記システムが、ＩＰｖ４メッセージング・プロトコルの下で動作している、請求項１に記載の方法。
【請求項４】
結合されたパケット・データ・ネットワークを介する異なるタイプのサービスをそれぞれサポートする１つまたは複数のパケット・ゲートウェイに関する識別およびアドレス指定情報を提供する方法であって、
ユーザ装置から、サービング・ゲートウェイで接続要求メッセージを受信するステップであって、前記接続要求メッセージは、前記ユーザ装置と前記サービング・ゲートウェイとの間の通信リンクを確立する、ステップと、
前記ユーザ装置から、前記サービング・ゲートウェイで第１登録メッセージを受信するステップであって、前記第１登録メッセージは、デフォルト・サービス・タイプに関する第１ゲートウェイ・アドレス指定情報を有し、前記第１ゲートウェイ・アドレス指定情報は、ドメイン名サービス・サーバから前記ユーザ装置によって受信され、前記サービング・ゲートウェイは、前記第１ゲートウェイ・アドレス指定情報で識別される第１ゲートウェイを介する前記デフォルト・サービス・タイプを使用して前記ユーザ装置との通信の伝送を援助する、ステップと、
前記ユーザ装置から、前記サービング・ゲートウェイで第２ゲートウェイのアドレス指定情報を受信するステップであって、前記第２ゲートウェイは、ドメイン名サービス・サーバから前記ユーザ装置によって受信される前記アドレス指定情報によって識別される、ステップと、
前記第２ゲートウェイから、前記サービング・ゲートウェイで第２登録メッセージを受信するステップであって、前記サービング・ゲートウェイは、前記第２ゲートウェイの登録を援助することにより、前記第２ゲートウェイ・アドレス指定情報で識別される前記第２ゲートウェイを介する第２サービス・タイプを使用して前記ユーザ装置との通信の伝送をサポートする、ステップと
を含む方法。
【請求項５】
前記システムが、Ｌａｙｅｒ３メッセージング・プロトコルの下で動作している、請求項４に記載の方法。
【請求項６】
前記システムが、ＩＰｖ６メッセージング・プロトコルの下で動作している、請求項４に記載の方法。
【請求項７】
結合されたパケット・データ・ネットワークを介する異なるタイプのサービスをそれぞれサポートする１つまたは複数のパケット・ゲートウェイに関する識別およびアドレス指定情報を提供する方法であって、
ユーザ装置から、サービング・ゲートウェイで接続要求メッセージを受信するステップであって、前記接続要求メッセージは、前記ユーザ装置と前記サービング・ゲートウェイとの間の通信リンクを確立する、ステップと、
前記ユーザ装置から、前記サービング・ゲートウェイで第１登録メッセージを受信するステップであって、前記第１登録メッセージは、デフォルト・サービス・タイプに関する第１ゲートウェイ・アドレス指定情報を有し、前記第１ゲートウェイ・アドレス指定情報は、ブートストラップ手続き中に認証サーバから前記ユーザ装置によって受信され、前記サービング・ゲートウェイは、前記第１ゲートウェイ・アドレス指定情報で識別される第１ゲートウェイを介する前記デフォルト・サービス・タイプを使用して前記ユーザ装置との通信の伝送を援助する、ステップと、
前記ユーザ装置から、前記サービング・ゲートウェイで第２ゲートウェイのアドレス指定情報を受信するステップであって、前記第２ゲートウェイは、前記ブートストラップ手続き中に前記認証サーバから前記ユーザ装置によって受信される前記アドレス指定情報によって識別される、ステップと、
前記第２ゲートウェイから、前記サービング・ゲートウェイで第２登録メッセージを受信するステップであって、前記サービング・ゲートウェイは、前記第２ゲートウェイの登録を援助することにより、前記第２ゲートウェイ・アドレス指定情報で識別される前記第２ゲートウェイを介する第２サービス・タイプを使用して前記ユーザ装置との通信の伝送をサポートする、ステップと
を含む方法。
【請求項８】
前記システムが、Ｌａｙｅｒ３メッセージング・プロトコルの下で動作している、請求項７に記載の方法。
【請求項９】
前記システムが、ＩＰｖ４メッセージング・プロトコルの下で動作している、請求項７に記載の方法。
【請求項１０】
前記システムが、ＩＰｖ６メッセージング・プロトコルの下で動作している、請求項７に記載の方法。
【請求項１１】
結合されたパケット・データ・ネットワークを介する異なるタイプのサービスをそれぞれサポートする１つまたは複数のパケット・ゲートウェイに関する識別およびアドレス指定情報を提供する方法であって、
ユーザ装置から、サービング・ゲートウェイで接続要求メッセージを受信するステップであって、前記接続要求メッセージは、前記ユーザ装置と前記サービング・ゲートウェイとの間の通信リンクを確立する、ステップと、
前記ユーザ装置から、前記サービング・ゲートウェイで第１登録メッセージを受信するステップであって、前記第１登録メッセージは、デフォルト・サービス・タイプに関する第１ゲートウェイ・アドレス指定情報を有し、前記第１ゲートウェイ・アドレス指定情報は、接続手続き中に前記サービング・ゲートウェイから前記ユーザ装置によって受信され、前記サービング・ゲートウェイは、前記第１ゲートウェイ・アドレス指定情報で識別される第１ゲートウェイを介する前記デフォルト・サービス・タイプを使用して前記ユーザ装置との通信の伝送を援助する、ステップと、
前記ユーザ装置から、前記サービング・ゲートウェイで第２ゲートウェイのアドレス指定情報を受信するステップであって、前記第２ゲートウェイは、前記接続手続き中に前記サービング・ゲートウェイから前記ユーザ装置によって受信される前記アドレス指定情報によって識別される、ステップと、
前記第２ゲートウェイから、前記サービング・ゲートウェイで第２登録メッセージを受信するステップであって、前記サービング・ゲートウェイは、前記第２ゲートウェイの登録を援助することにより、前記第２ゲートウェイ・アドレス指定情報で識別される前記第２ゲートウェイを介する第２サービス・タイプを使用して前記ユーザ装置との通信の伝送をサポートする、ステップと
を含む方法。
【請求項１２】
前記システムが、Ｌａｙｅｒ２メッセージング・プロトコルの下で動作している、請求項１１に記載の方法。
【請求項１３】
前記システムが、ＩＰｖ４メッセージング・プロトコルの下で動作している、請求項１１に記載の方法。
【請求項１４】
前記システムが、ＩＰｖ６メッセージング・プロトコルの下で動作している、請求項１１に記載の方法。
【請求項１５】
ユーザ装置通信をサポートし、結合されたパケット・データ・ネットワークを介する異
なるタイプのサービスをそれぞれサポートする１つまたは複数のパケット・ゲートウェイ
に関する識別およびアドレス指定情報を提供する通信ネットワークであって、
前記通信ネットワークは、ユーザ装置から接続要求メッセージを受信するサービング・ゲートウェイを備え、前記接続要求メッセージは、前記ユーザ装置と前記サービング・ゲートウェイとの間の通信リンクを確立し、前記サービング・ゲートウェイは、前記ユーザ装置から第１登録メッセージを受信し、前記第１登録メッセージは、デフォルト・サービス・タイプに関する第１ゲートウェイ・アドレス指定情報を有し、前記第１ゲートウェイ・アドレス指定情報は、ブートストラップ登録手続き中に前記ユーザ装置によって受信され、前記サービング・ゲートウェイは、前記第１ゲートウェイ・アドレス指定情報で識別される第１ゲートウェイを介する前記デフォルト・サービス・タイプを使用して前記ユーザ装置との通信の伝送を援助し、
前記サービング・ゲートウェイは、前記ユーザ装置から第２ゲートウェイのアドレス指定情報を受信し、前記第２ゲートウェイは、ドメイン名サービス・サーバから前記ユーザ装置によって受信される前記アドレス指定情報によって識別され、
前記サービング・ゲートウェイは、前記ゲートウェイから第２登録メッセージを受信し、前記サービング・ゲートウェイは、前記第２ゲートウェイの登録を援助することにより、前記第２ゲートウェイ・アドレス指定情報で識別される前記第２ゲートウェイを介する第２サービス・タイプを使用して前記ユーザ装置との通信の伝送をサポートする、通信ネットワーク。
【請求項１６】
前記システムが、Ｌａｙｅｒ３メッセージング・プロトコルの下で動作している、請求項１５に記載のネットワーク。
【請求項１７】
前記システムが、ＩＰｖ４メッセージング・プロトコルの下で動作している、請求項１５に記載のネットワーク。
【請求項１８】
ユーザ装置通信をサポートし、結合されたパケット・データ・ネットワークを介する異なるタイプのサービスをそれぞれサポートする１つまたは複数のパケット・ゲートウェイに関する識別およびアドレス指定情報を提供する通信ネットワークであって、
前記通信ネットワークは、ユーザ装置からサービング・ゲートウェイで接続要求メッセージを受信するサービング・ゲートウェイを備え、前記接続要求メッセージは、前記ユーザ装置と前記サービング・ゲートウェイとの間の通信リンクを確立し、前記サービング・ゲートウェイは、前記ユーザ装置から、前記サービング・ゲートウェイで第１登録メッセージを受信し、前記第１登録メッセージは、デフォルト・サービス・タイプに関する第１ゲートウェイ・アドレス指定情報を有し、前記第１ゲートウェイ・アドレス指定情報は、ドメイン名サービス・サーバから前記ユーザ装置によって受信され、前記サービング・ゲートウェイは、前記第１ゲートウェイ・アドレス指定情報で識別される第１ゲートウェイを介する前記デフォルト・サービス・タイプを使用して前記ユーザ装置との通信の伝送を援助し、
前記サービング・ゲートウェイは、前記ユーザ装置から第２ゲートウェイのアドレス指定情報を受信し、前記第２ゲートウェイは、ドメイン名サービス・サーバから前記ユーザ装置によって受信される前記アドレス指定情報によって識別され、
前記サービング・ゲートウェイは、前記第２ゲートウェイから第２登録メッセージを受信し、前記サービング・ゲートウェイは、前記第２ゲートウェイの登録を援助することにより、前記第２ゲートウェイ・アドレス指定情報で識別される前記第２ゲートウェイを介する第２サービス・タイプを使用して前記ユーザ装置との通信の伝送をサポートする、通信ネットワーク。
【請求項１９】
前記システムが、Ｌａｙｅｒ３メッセージング・プロトコルの下で動作している、請求項１８に記載のネットワーク。
【請求項２０】
前記システムが、ＩＰｖ６メッセージング・プロトコルの下で動作している、請求項１８に記載のネットワーク。
【請求項２１】
ユーザ装置通信をサポートし、結合されたパケット・データ・ネットワークを介する異
なるタイプのサービスをそれぞれサポートする１つまたは複数のパケット・ゲートウェイ
に関する識別およびアドレス指定情報を提供する通信ネットワークであって、
前記通信ネットワークは、ユーザ装置から接続要求メッセージを受信するサービング・ゲートウェイを備え、前記接続要求メッセージは、前記ユーザ装置と前記サービング・ゲートウェイとの間の通信リンクを確立し、前記サービング・ゲートウェイは、前記ユーザ装置から、前記サービング・ゲートウェイで第１登録メッセージを受信し、前記第１登録メッセージは、デフォルト・サービス・タイプに関する第１ゲートウェイ・アドレス指定情報を有し、前記第１ゲートウェイ・アドレス指定情報は、ブートストラップ手続き中に認証サーバから前記ユーザ装置によって受信され、前記サービング・ゲートウェイは、前記第１ゲートウェイ・アドレス指定情報で識別される第１ゲートウェイを介する前記デフォルト・サービス・タイプを使用して前記ユーザ装置との通信の伝送を援助し、
前記サービング・ゲートウェイは、前記ユーザ装置から第２ゲートウェイのアドレス指定情報を受信し、前記第２ゲートウェイは、前記ブートストラップ手続き中に前記認証サーバから前記ユーザ装置によって受信される前記アドレス指定情報によって識別され、
前記サービング・ゲートウェイは、第２ゲートウェイから、前記サービング・ゲートウェイで第２登録メッセージを受信し、前記サービング・ゲートウェイは、前記第２ゲートウェイの登録を援助することにより、前記第２ゲートウェイ・アドレス指定情報で識別される前記第２ゲートウェイを介する第２サービス・タイプを使用して前記ユーザ装置との通信の伝送をサポートする、通信ネットワーク。
【請求項２２】
前記システムが、Ｌａｙｅｒ３メッセージング・プロトコルの下で動作している、請求項２１に記載のネットワーク。
【請求項２３】
前記システムが、ＩＰｖ４メッセージング・プロトコルの下で動作している、請求項２１に記載のネットワーク。
【請求項２４】
前記システムが、ＩＰｖ６メッセージング・プロトコルの下で動作している、請求項２１に記載のネットワーク。
【請求項２５】
ユーザ装置通信をサポートし、結合されたパケット・データ・ネットワークを介する異
なるタイプのサービスをそれぞれサポートする１つまたは複数のパケット・ゲートウェイ
に関する識別およびアドレス指定情報を提供する通信ネットワークであって、
前記通信ネットワークは、ユーザ装置から接続要求メッセージを受信するサービング・ゲートウェイを備え、前記接続要求メッセージは、前記ユーザ装置と前記サービング・ゲートウェイとの間の通信リンクを確立し、前記サービング・ゲートウェイは、前記ユーザ装置から、サービング・ゲートウェイで第１登録メッセージを受信し、前記第１登録メッセージは、デフォルト・サービス・タイプに関する第１ゲートウェイ・アドレス指定情報を有し、前記第１ゲートウェイ・アドレス指定情報は、接続手続き中に前記サービング・ゲートウェイから前記ユーザ装置によって受信され、前記サービング・ゲートウェイは、前記第１ゲートウェイ・アドレス指定情報で識別される第１ゲートウェイを介する前記デフォルト・サービス・タイプを使用して前記ユーザ装置との通信の伝送を援助し、
前記サービング・ゲートウェイは、前記ユーザ装置から第２ゲートウェイのアドレス指定情報を受信し、前記第２ゲートウェイは、前記接続手続き中に前記サービング・ゲートウェイから前記ユーザ装置によって受信される前記アドレス指定情報によって識別され、
前記サービング・ゲートウェイは、前記第２ゲートウェイから第２登録メッセージを受信し、前記サービング・ゲートウェイは、前記第２ゲートウェイの登録を援助することにより、前記第２ゲートウェイ・アドレス指定情報で識別される前記第２ゲートウェイを介する第２サービス・タイプを使用して前記ユーザ装置との通信の伝送をサポートする、通信ネットワーク。
【請求項２６】
前記システムが、Ｌａｙｅｒ２メッセージング・プロトコルの下で動作している、請求項２５に記載のネットワーク。
【請求項２７】
前記システムが、ＩＰｖ４メッセージング・プロトコルの下で動作している、請求項２５に記載のネットワーク。
【請求項２８】
前記システムが、ＩＰｖ６メッセージング・プロトコルの下で動作している、請求項２５に記載のネットワーク。
【発明の詳細な説明】
【技術分野】
【０００１】
関連出願データ
本願は、２００８年５月１日出願の仮特許出願第６１／０４９６６２号に関連し、米国特許法第１１９条（ｅ）項の下で先のこの出願に対する優先権を主張する。この仮特許出願はさらに、参照により本特許出願に組み込まれる。
【０００２】
異なるタイプの（ＱｏＳ）サービスをサポートするパケット・ゲートウェイの識別のための方法およびシステム。
【背景技術】
【０００３】
ＩＰベースのモバイル・システム［ｍｏｂｉｌｅ  ｓｙｓｔｅｍ］は、ワイヤレス通信システム上の少なくとも１つのモバイル・ノード［ｍｏｂｉｌｅ  ｎｏｄｅ］を含む。「モバイル・ノード」という用語は移動体通信ユニット［ｍｏｂｉｌｅ  ｃｏｍｍｕｎｉｃａｔｉｏｎ  ｕｎｉｔ］を含み、モバイル・ノードに加えて、通信システムは、ホーム・ネットワークおよび区域外ネットワークを有する。モバイル・ノードは、こうしたネットワークに対するモバイル・ノードの接続ポイントを変更することができるが、モバイル・ノードは常に、ＩＰアドレス指定のために単一のホーム・ネットワークに関連付けられる。ホーム・ネットワークはホーム・エージェントを有し、区域外ネットワーク［ｆｏｒｅｉｇｎ  ｎｅｔｗｏｒｋ］は区域外エージェント［ｆｏｒｅｉｇｎ  ａｇｅｎｔ］を有し、そのどちらも、そのネットワークへの情報パケットと、そのネットワークから出る情報パケットのルーティングを制御する。
【０００４】
モバイル・ノード、ホーム・ネットワーク、および区域外ネットワークは、特定のネットワーク構成または通信システム上で使用される命名法に応じて別の名前で呼ばれることがある。例えば、「モバイル・ノード」は、特定のシステム・プロバイダで採用される命名法に応じて、ユーザ装置、モバイル・ユニット、モバイル端末、モバイル装置、または類似の名前として呼ばれることがある。「モバイル・ノード」は、ワイヤレス・ネットワークに対する配線された（例えば、電話回線（「撚線対」）、イーサネット・ケーブル、光ケーブルなど）接続性、ならびにインターネット・アクセス、Ｅメール、メッセージング・サービスなどの様々な特徴および機能を有するモバイル端末（「携帯電話」）の様々なメーク［ｍａｋｅｓ］およびモデルで体験することのできる、セルラ・ネットワークに対して直接的なワイヤレス接続性を有するＰＣを包含する。「モバイル・ノード」という用語はまた、移動体通信ユニット（例えば、モバイル端末、「スマート・フォン」、ワイヤレス接続性を有するラップトップＰＣなどのノマディック装置［ｎｏｍａｄｉｃ  ｄｅｖｉｃｅｓ］）をも含む。
【０００５】
ホーム・エージェントは、Ｈｏｍｅ  Ａｇｅｎｔ、Ｈｏｍｅ  Ｍｏｂｉｌｉｔｙ  Ｍａｎａｇｅｒ、Ｈｏｍｅ  Ｌｏｃａｔｉｏｎ  Ｒｅｇｉｓｔｅｒと呼ばれることがあり、区域外エージェントは、Ｆｏｒｅｉｇｎ  Ａｇｅｎｔ、Ｓｅｒｖｉｎｇ  Ｍｏｂｉｌｉｔｙ  Ｍａｎａｇｅｒ、Ｖｉｓｉｔｅｄ  Ｌｏｃａｔｉｏｎ  Ｒｅｇｉｓｔｅｒ、およびＶｉｓｉｔｉｎｇ  Ｓｅｒｖｉｎｇ  Ｅｎｔｉｔｙと呼ばれることがある。区域外ネットワークはまた、サービング・ネットワーク［ｓｅｒｖｉｎｇ  ｎｅｔｗｏｒｋｓ］と呼ばれることもある。Ｍｏｂｉｌｅ  Ｎｏｄｅ、Ｈｏｍｅ  Ａｇｅｎｔ、およびＦｏｒｅｇｉｎ  Ａｇｅｎｔという用語は、制限的に定義されることを意味するものではなく、ホーム・ネットワークまたは区域外ネットワーク上に位置する他の移動体通信ユニットまたは監視ルーティング装置を含むことができる。
【発明の概要】
【０００６】
ｇｅｎｅｒａｌ  ｐａｃｋｅｔ  ｒａｄｉｏ  ｓｅｒｖｉｃｅ（ＧＰＲＳ）、ｇｌｏｂａｌ  ｓｙｓｔｅｍ  ｆｏｒ  ｍｏｂｉｌｅ（ＧＳＭ）／ｅｎｈａｎｃｅｄ  ｄａｔａ  ｒａｔｅｓ  ｆｏｒ  ＧＳＭ  ｅｖｏｌｕｔｉｏｎ（ＥＤＧＥ）  ｒａｄｉｏ  ａｃｃｅｓｓ  ｎｅｔｗｏｒｋ（ＧＥＲＡＮ）、ｌｏｎｇ  ｔｅｒｍ  ｅｖｏｌｕｔｉｏｎ（ＬＴＥ）  ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ（ＥＵＴＲＡＮ）などの様々なタイプのワイヤレス通信システムがある。ＬＴＥ／ＥＵＴＲＡＮシステムは、それに先行するシステム、すなわちＧＰＲＳ、ＧＥＲＡＮ、またはＵＴＲＡＮとは異なる物理層および異なるアーキテクチャを有する。異なるタイプおよびレベルのサービスが、異なるタイプのパケット・データ・ネットワークによって通信ネットワーク上で提供される。しばしば、異なるタイプのサービスが異なるパケット・データ・ネットワークによって提供されるので、モバイル・ノードは、異なるパケット・データ・ネットワークに関連する異なるパケット・ゲートウェイを介して、異なるタイプのサービスにアクセスする必要があることがある。パケット・データ・ネットワーク上の異なるタイプのサービスをサポートする異なるパケット・ゲートウェイの識別をサポートする方法およびシステムを有することが有益なはずである。
【０００７】
本発明は、パケット・データ・ネットワーク上の異なるタイプのサービスをサポートする異なるパケット・ゲートウェイの識別のための方法およびシステムを提供する。この方法およびシステムは、ＱｏＳサービスと呼ばれることもある異なるタイプのサービスをサポートする１つまたは複数のパケット・ゲートウェイに関する識別およびアドレス指定情報をユーザ装置に提供する。本発明では、１つまたは複数のパケット・ゲートウェイに関する識別およびアドレス指定情報が、ＤＮＳサーバまたはＡＡＡサーバにより、モバイル・ノードとの通信をサポートするネットワーク・アーキテクチャおよびＩＰバージョンに応じて提供される。
【０００８】
同様の番号が同様の要素を表す添付の図面と共に読むときに、以下の詳細な説明および添付の特許請求の範囲から、本発明の目的および特徴をより容易に理解されよう。
本発明は、例えば、以下の項目を提供する。
（項目１）
結合されたパケット・データ・ネットワークを介する異なるタイプのサービスをそれぞれサポートする１つまたは複数のパケット・ゲートウェイに関する識別およびアドレス指定情報を提供する方法であって、
ユーザ装置からサービング・ゲートウェイ・サーバで接続要求メッセージを受信するステップであって、前記接続要求メッセージが、前記ユーザ装置と前記サービング・ゲートウェイとの間の通信リンクを確立するステップと、
デフォルト・サービス・タイプに関する第１パケット・ゲートウェイ・アドレス指定情報を有する前記ユーザ装置から、前記サービング・ゲートウェイ・サーバで登録メッセージを受信するステップであって、前記第１パケット・ゲートウェイ・アドレス指定情報が、ブートストラップ登録手続き中に前記ユーザ装置で受信され、前記サービング・ゲートウェイ・サーバが、前記第１ゲートウェイ・アドレス指定情報で識別される第１ゲートウェイ・サーバを介する前記デフォルト・サービス・タイプを使用する前記ユーザ装置との通信の伝送を援助する［ａｓｓｉｓｔ］ステップと、
第２パケット・ゲートウェイ・サーバから前記サービング・ゲートウェイでアンカ登録メッセージ［ａｎｃｈｏｒ  ｒｅｇｉｓｔｒａｔｉｏｎ  ｍｅｓｓａｇｅ］を受信するステップであって、前記第２パケット・ゲートウェイが、ドメイン名サービス・サーバから前記ユーザ装置で受信されたアドレス指定情報で識別され、前記サービング・ゲートウェイ・サーバが、前記第２ゲートウェイ・サーバの登録を援助して、前記第２ゲートウェイ・アドレス指定情報で識別される前記第２ゲートウェイ・サーバを介する第２サービス・タイプを使用する前記ユーザ装置との通信の伝送をサポートするステップと
を含む方法。
（項目２）
前記システムが、Ｌａｙｅｒ３メッセージング・プロトコルの下で動作している項目１に記載の方法。
（項目３）
前記システムが、ＩＰｖ４メッセージング・プロトコルの下で動作している項目１に記載の方法。
（項目４）
結合されたパケット・データ・ネットワークを介する異なるタイプのサービスをそれぞれサポートする１つまたは複数のパケット・ゲートウェイに関する識別およびアドレス指定情報を提供する方法であって、
ユーザ装置からサービング・ゲートウェイ・サーバで接続要求メッセージを受信するステップであって、前記接続要求メッセージが、前記ユーザ装置と前記サービング・ゲートウェイとの間の通信リンクを確立するステップと、
デフォルト・サービス・タイプに関する第１パケット・ゲートウェイ・アドレス指定情報を有する前記ユーザ装置から、前記サービング・ゲートウェイ・サーバで登録メッセージを受信するステップであって、前記第１パケット・ゲートウェイ・アドレス指定情報が、ドメイン名サービス・サーバから前記ユーザ装置で受信され、前記サービング・ゲートウェイ・サーバが、前記第１ゲートウェイ・アドレス指定情報で識別される第１ゲートウェイ・サーバを介する前記デフォルト・サービス・タイプを使用する前記ユーザ装置との通信の伝送を援助するステップと、
第２パケット・ゲートウェイ・サーバから前記サービング・ゲートウェイでアンカ登録メッセージを受信するステップであって、前記第２パケット・ゲートウェイが、ドメイン名サービス・サーバから前記ユーザ装置で受信されたアドレス指定情報で識別され、前記サービング・ゲートウェイ・サーバが、前記第２ゲートウェイ・サーバの登録を援助して、前記第２ゲートウェイ・アドレス指定情報で識別される前記第２ゲートウェイ・サーバを介する第２サービス・タイプを使用する前記ユーザ装置との通信の伝送をサポートするステップと
を含む方法。
（項目５）
前記システムが、Ｌａｙｅｒ３メッセージング・プロトコルの下で動作している項目
４に記載の方法。
（項目６）
前記システムが、ＩＰｖ６メッセージング・プロトコルの下で動作している項目４に
記載の方法。
（項目７）
結合されたパケット・データ・ネットワークを介する異なるタイプのサービスをそれぞれサポートする１つまたは複数のパケット・ゲートウェイに関する識別およびアドレス指定情報を提供する方法であって、
ユーザ装置からサービング・ゲートウェイ・サーバで接続要求メッセージを受信するステップであって、前記接続要求メッセージが、前記ユーザ装置と前記サービング・ゲートウェイとの間の通信リンクを確立するステップと、
デフォルト・サービス・タイプに関する第１パケット・ゲートウェイ・アドレス指定情報を有する前記ユーザ装置から、前記サービング・ゲートウェイ・サーバで登録メッセージを受信するステップであって、前記第１パケット・ゲートウェイ・アドレス指定情報が、ブートストラップ登録手続き中に認証サーバから前記ユーザ装置で受信され、前記サービング・ゲートウェイ・サーバが、前記第１ゲートウェイ・アドレス指定情報で識別される第１ゲートウェイ・サーバを介する前記デフォルト・サービス・タイプを使用する前記ユーザ装置との通信の伝送を援助するステップと、
第２パケット・ゲートウェイ・サーバから前記サービング・ゲートウェイでアンカ登録メッセージを受信するステップであって、前記第２パケット・ゲートウェイが、前記ブートストラップ手続き中に前記認証サーバから前記ユーザ装置で受信されたアドレス指定情報で識別され、前記サービング・ゲートウェイ・サーバが、前記第２ゲートウェイ・サーバの登録を援助して、前記第２ゲートウェイ・アドレス指定情報で識別される前記第２ゲートウェイ・サーバを介する第２サービス・タイプを使用する前記ユーザ装置との通信の伝送をサポートするステップと
を含む方法。
（項目８）
前記システムが、Ｌａｙｅｒ３メッセージング・プロトコルの下で動作している項目
７に記載の方法。
（項目９）
前記システムが、ＩＰｖ４メッセージング・プロトコルの下で動作している項目７に
記載の方法。
（項目１０）
前記システムが、ＩＰｖ４メッセージング・プロトコルの下で動作している項目７に
記載の方法。
（項目１１）
結合されたパケット・データ・ネットワークを介する異なるタイプのサービスをそれぞれサポートする１つまたは複数のパケット・ゲートウェイに関する識別およびアドレス指定情報を提供する方法であって、
ユーザ装置からサービング・ゲートウェイ・サーバで接続要求メッセージを受信するステップであって、前記接続要求メッセージが、前記ユーザ装置と前記サービング・ゲートウェイとの間の通信リンクを確立するステップと、
デフォルト・サービス・タイプに関する第１パケット・ゲートウェイ・アドレス指定情報を有する前記ユーザ装置から、前記サービング・ゲートウェイ・サーバで登録メッセージを受信するステップであって、前記第１パケット・ゲートウェイ・アドレス指定情報が、接続手続き中に前記サービング・ゲートウェイ・サーバから前記ユーザ装置で受信され、前記サービング・ゲートウェイ・サーバが、前記第１ゲートウェイ・アドレス指定情報で識別される第１ゲートウェイ・サーバを介する前記デフォルト・サービス・タイプを使用する前記ユーザ装置との通信の伝送を援助するステップと、
第２パケット・ゲートウェイ・サーバから前記サービング・ゲートウェイでアンカ登録メッセージを受信するステップであって、前記第２パケット・ゲートウェイが、接続手続き中に前記サービング・ゲートウェイ・サーバから前記ユーザ装置で受信されたアドレス指定情報で識別され、前記サービング・ゲートウェイ・サーバが、前記第２ゲートウェイ・サーバの登録を援助して、前記第２ゲートウェイ・アドレス指定情報で識別される前記第２ゲートウェイ・サーバを介する第２サービス・タイプを使用する前記ユーザ装置との通信の伝送をサポートするステップと
を含む方法。
（項目１２）
前記システムが、Ｌａｙｅｒ２メッセージング・プロトコルの下で動作している項目１１に記載の方法。
（項目１３）
前記システムが、ＩＰｖ４メッセージング・プロトコルの下で動作している項目１１に記載の方法。
（項目１４）
前記システムが、ＩＰｖ４メッセージング・プロトコルの下で動作している項目１１に記載の方法。
（項目１５）
ユーザ装置通信をサポートし、結合されたパケット・データ・ネットワークを介する異なるタイプのサービスをそれぞれサポートする１つまたは複数のパケット・ゲートウェイに関する識別およびアドレス指定情報を提供する通信ネットワークであって、
ユーザ装置から接続要求メッセージを受信するサービング・ゲートウェイ・サーバであって、前記接続要求メッセージが、前記ユーザ装置と前記サービング・ゲートウェイとの間の通信リンクを確立し、前記サービング・ゲートウェイ・サーバが、デフォルト・サービス・タイプに関する第１パケット・ゲートウェイ・アドレス指定情報を有する前記ユーザ装置から登録メッセージを受信し、前記第１パケット・ゲートウェイ・アドレス指定情報が、ブートストラップ登録手続き中に前記ユーザ装置で受信され、前記サービング・ゲートウェイ・サーバが、前記第１ゲートウェイ・アドレス指定情報で識別される第１ゲートウェイ・サーバを介する前記デフォルト・サービス・タイプを使用する前記ユーザ装置との通信の伝送を援助するサービング・ゲートウェイ・サーバと
を備え、
前記サービング・ゲートウェイ・サーバが、第２パケット・ゲートウェイ・サーバからアンカ登録メッセージを受信し、前記第２パケット・ゲートウェイが、ドメイン名サービス・サーバから前記ユーザ装置で受信されたアドレス指定情報で識別され、前記サービング・ゲートウェイ・サーバが、前記第２ゲートウェイ・サーバの登録を援助して、前記第２ゲートウェイ・アドレス指定情報で識別される前記第２ゲートウェイ・サーバを介する第２サービス・タイプを使用する前記ユーザ装置との通信の伝送をサポートする通信ネットワーク。
（項目１６）
前記システムが、Ｌａｙｅｒ３メッセージング・プロトコルの下で動作している項目１５に記載のネットワーク。
（項目１７）
前記システムが、ＩＰｖ４メッセージング・プロトコルの下で動作している項目１５に記載のネットワーク。
（項目１８）
ユーザ装置通信をサポートし、結合されたパケット・データ・ネットワークを介する異なるタイプのサービスをそれぞれサポートする１つまたは複数のパケット・ゲートウェイに関する識別およびアドレス指定情報を提供する通信ネットワークであって、
ユーザ装置からサービング・ゲートウェイ・サーバで接続要求メッセージを受信するサービング・ゲートウェイ・サーバであって、前記接続要求メッセージが、前記ユーザ装置と前記サービング・ゲートウェイとの間の通信リンクを確立し、サービング・ゲートウェイ・サーバが、デフォルト・サービス・タイプに関する第１パケット・ゲートウェイ・アドレス指定情報を有する前記ユーザ装置から前記サービング・ゲートウェイ・サーバで登録メッセージを受信し、前記第１パケット・ゲートウェイ・アドレス指定情報が、ドメイン名サービス・サーバから前記ユーザ装置で受信され、サービング・ゲートウェイ・サー
バが、前記第１ゲートウェイ・アドレス指定情報で識別される第１ゲートウェイ・サーバを介する前記デフォルト・サービス・タイプを使用する前記ユーザ装置との通信の伝送を援助するサービング・ゲートウェイ・サーバを備え、
前記サービング・ゲートウェイ・サーバが、第２パケット・ゲートウェイ・サーバからアンカ登録メッセージを受信し、前記第２パケット・ゲートウェイが、ドメイン名サービス・サーバから前記ユーザ装置で受信されたアドレス指定情報で識別され、前記サービング・ゲートウェイ・サーバが、前記第２ゲートウェイ・サーバの登録を援助して、前記第２ゲートウェイ・アドレス指定情報で識別される前記第２ゲートウェイ・サーバを介する第２サービス・タイプを使用する前記ユーザ装置との通信の伝送をサポートする通信ネットワーク。
（項目１９）
前記システムが、Ｌａｙｅｒ３メッセージング・プロトコルの下で動作している項目１８に記載のネットワーク。
（項目２０）
前記システムが、ＩＰｖ６メッセージング・プロトコルの下で動作している項目１８に記載のネットワーク。
（項目２１）
ユーザ装置通信をサポートし、結合されたパケット・データ・ネットワークを介する異なるタイプのサービスをそれぞれサポートする１つまたは複数のパケット・ゲートウェイに関する識別およびアドレス指定情報を提供する通信ネットワークであって、
ユーザ装置から接続要求メッセージを受信するサービング・ゲートウェイ・サーバであって、前記接続要求メッセージが、前記ユーザ装置と前記サービング・ゲートウェイとの間の通信リンクを確立し、サービング・ゲートウェイ・サーバが、デフォルト・サービス・タイプに関する第１パケット・ゲートウェイ・アドレス指定情報を有する前記ユーザ装置から、前記サービング・ゲートウェイ・サーバで登録メッセージを受信し、前記第１パケット・ゲートウェイ・アドレス指定情報が、ブートストラップ登録手続き中に認証サーバから前記ユーザ装置で受信され、サービング・ゲートウェイ・サーバが、前記第１ゲートウェイ・アドレス指定情報で識別される第１ゲートウェイ・サーバを介する前記デフォルト・サービス・タイプを使用する前記ユーザ装置との通信の伝送を援助するサービング・ゲートウェイ・サーバを備え、
前記サービング・ゲートウェイ・サーバが、第２パケット・ゲートウェイ・サーバから前記サービング・ゲートウェイでアンカ登録メッセージを受信し、前記第２パケット・ゲートウェイが、前記ブートストラップ手続き中に前記認証サーバから前記ユーザ装置で受信されたアドレス指定情報で識別され、前記サービング・ゲートウェイ・サーバが、前記第２ゲートウェイ・サーバの登録を援助して、前記第２ゲートウェイ・アドレス指定情報で識別される前記第２ゲートウェイ・サーバを介する第２サービス・タイプを使用する前記ユーザ装置との通信の伝送をサポートする通信ネットワーク。
（項目２２）
前記システムが、Ｌａｙｅｒ３メッセージング・プロトコルの下で動作している項目２１に記載のネットワーク。
（項目２３）
前記システムが、ＩＰｖ４メッセージング・プロトコルの下で動作している項目２１に記載のネットワーク。
（項目２４）
前記システムが、ＩＰｖ４メッセージング・プロトコルの下で動作している項目２１に記載のネットワーク。
（項目２５）
ユーザ装置通信をサポートし、結合されたパケット・データ・ネットワークを介する異なるタイプのサービスをそれぞれサポートする１つまたは複数のパケット・ゲートウェイに関する識別およびアドレス指定情報を提供する通信ネットワークであって、
ユーザ装置から接続要求メッセージを受信するサービング・ゲートウェイ・サーバであって、前記接続要求メッセージが、前記ユーザ装置と前記サービング・ゲートウェイとの間の通信リンクを確立し、デフォルト・サービス・タイプに関する第１パケット・ゲートウェイ・アドレス指定情報を有する前記ユーザ装置から、サービング・ゲートウェイ・サーバで登録メッセージを受信し、前記第１パケット・ゲートウェイ・アドレス指定情報が、接続手続き中に前記サービング・ゲートウェイ・サーバから前記ユーザ装置で受信され、前記サービング・ゲートウェイ・サーバが、前記第１ゲートウェイ・アドレス指定情報
で識別される第１ゲートウェイ・サーバを介する前記デフォルト・サービス・タイプを使用する前記ユーザ装置との通信の伝送を援助するサービング・ゲートウェイ・サーバを備え、
前記サービング・ゲートウェイ・サーバが、第２パケット・ゲートウェイ・サーバからアンカ登録メッセージを受信し、前記第２パケット・ゲートウェイが、接続手続き中に前記サービング・ゲートウェイ・サーバから前記ユーザ装置で受信されたアドレス指定情報で識別され、前記サービング・ゲートウェイ・サーバが、前記第２ゲートウェイ・サーバの登録を援助して、前記第２ゲートウェイ・アドレス指定情報で識別される前記第２ゲートウェイ・サーバを介する第２サービス・タイプを使用する前記ユーザ装置との通信の伝送をサポートする通信ネットワーク。
（項目２６）
前記システムが、Ｌａｙｅｒ２メッセージング・プロトコルの下で動作している項目２５に記載のネットワーク。
（項目２７）
前記システムが、ＩＰｖ４メッセージング・プロトコルの下で動作している項目２５に記載のネットワーク。
（項目２８）
前記システムが、ＩＰｖ４メッセージング・プロトコルの下で動作している項目２５に記載のネットワーク。
【図面の簡単な説明】
【０００９】
【図１】異なるパケット・データ・ネットワークに結合されたユーザ装置、ＤＮＳサーバ、ＡＡＡサーバ、サービング・ゲートウェイ、およびパケット・ゲートウェイを示すモバイルＩＰベースの通信システムの図である。
【図２】ＩＰｖ４プロトコルを用いるＤＮＳサーバを使用するＬａｙｅｒ３でのアドレス指定［ａｄｄｒｅｓｓｉｎｇ］および識別プロトコル［ｉｄｅｎｔｉｆｉｃａｔｉｏｎ  ｐｒｏｔｏｃｏｌ］である。
【図３】ＩＰｖ６プロトコルを用いるＤＮＳサーバを使用するＬａｙｅｒ３でのアドレス指定および識別プロトコルである。
【図４】ＩＰｖ４プロトコルを用いるＡＡＡサーバを使用するＬａｙｅｒ３でのアドレス指定および識別プロトコルである。
【図５】ＩＰｖ６プロトコルを用いるＡＡＡサーバを使用するＬａｙｅｒ３でのアドレス指定および識別プロトコルである。
【図６】ＩＰｖ４プロトコルを用いるＤＮＳサーバおよびＡＡＡサーバを使用するＬａｙｅｒ２でのアドレス指定および識別プロトコルである。
【図７】ＩＰｖ４プロトコルを用いるＤＮＳサーバおよびＡＡＡサーバを使用するＬａｙｅｒ２でのアドレス指定および識別プロトコルである。
【発明を実施するための形態】
【００１０】
図１を参照すると、ネットワーク１００が、パケット・データ・ネットワークＰＤＮ１  １５０および／またはＰＤＮ２  １５１へのユーザ装置１０１の接続に関係する様々なネットワーク構成要素を示す。図１では、本発明は、通信システム１００で示されるように、異なるパケット・データ・ネットワーク・ゲートウェイからの異なるサービスを追跡するためにユーザ装置１０１に関する識別およびアドレス指定情報を提供する解決策を提案する。以下では、ユーザ装置（ＵＥ）という用語は、限定はしないが、移動局、固定またはモバイル・サブスクライバ・ユニット、ページャ、携帯電話、携帯情報端末（ＰＤＡ）、コンピュータ、またはワイヤレス環境で動作することのできる他の任意のタイプのユーザ装置を含む。
【００１１】
ユーザ装置１０１は、接続１０３を介して、訪問するネットワーク１０２に結合され、接続１０３は、ワイヤレス無線ネットワーク接続から構成することができる。訪問するネットワーク１０２は、接続１１２を介してサービング・ゲートウェイ１０５に結合され、訪問するネットワーク１０２はまた、接続１３７を介してドメイン名サービス・サーバ１３５にも結合される。
【００１２】
サービング・ゲートウェイ１０５は、接続１３７を介してドメイン名サービス・サーバ１３５に結合され、サービング・ゲートウェイ１０５は、接続１５５を介してＡＡＡサーバ１６０に結合される。サービング・ゲートウェイ１０５はまた、それぞれ接続１１６および１１７を介してＰＤＮゲートウェイ１  １１０およびＰＤＮゲートウェイ２  １１５にも結合される。ＤＮＳサーバ１３５およびＡＡＡサーバ１６０はまた、ＨＲＰＮ  Ａｃｃｅｓｓ  Ｎｏｄｅおよび／またはＰＤＳＮサーバと呼ばれることもあるホーム・ネットワークおよび／またはホーム・エージェント（図示せず）を介してシステムに接続することもできる。ＰＤＮゲートウェイ１  １１０およびＰＤＮゲートウェイ２  １１５は複数のＰＤＮネットワーク１５０および１５１に結合され、ＰＤＮネットワーク１５０および１５１は、それぞれ接続１４３および１４４で結合される。本発明の中心は、ＰＤＮゲートウェイ１１５および／または１１０に関連するアドレスの決定である。
【００１３】
図２では、識別およびアドレス情報プロトコル［ｉｄｅｎｔｉｆｉｃａｔｉｏｎ  ａｎｄ  ａｄｄｒｅｓｓ  ｉｎｆｏｒｍａｔｉｏｎ  ｐｒｏｔｏｃｏｌ］が、ＩＰｖ６メッセージング・プロトコルを使用してＬａｙｅｒ３で動作し、ステップ２０５で、ユーザ装置１０１がサービング・ゲートウェイ１０５との接続を確立するときに開始することが示されている。ステップ２０５の後、ユーザ装置１０１が、ステップ２１０でサービング・ゲートウェイ１０５に対する通信によって認証され、次いでステップ２１５でサービング・ゲートウェイからＡＡＡサーバ１６０に対する通信によって認証される。
【００１４】
ブートストラッピング・ステップ２２０が、接続手続き中にユーザ装置１０１とＡＡＡサーバ１６０との間で実施され、デフォルト・パケット・データ・ネットワーク・ゲートウェイＰＤＮ  ＧＷ１  １１０に関する識別およびアドレス情報がユーザ装置１０１に提供される。これは、ユーザ装置１０１に対してサポートされる「ベスト・エフォート」型のサービスとなる。このＰＤＮゲートウェイＧＷ１は、ユーザ装置通信に関するデフォルト・サービス品質またはデフォルト・サービス・タイプをサポートする。
【００１５】
ステップ２２５で、ユーザ装置１０１は、サービング・ゲートウェイ１０５との間でＤＨＣＰ通信手続きを送信し、ステップ２３０で、サービング・ゲートウェイ１０５は、ユーザ装置に提供すべきデフォルト・サービスに関する接続としてパケット・データ・ネットワークＰＤＮ  ＧＷ１  １１０と連係する［ｅｎｇａｇｅ］。ステップ２３５で、サービング・ゲートウェイ１０５とパケット・データ・ネットワークＰＤＮ  ＧＷ１  １１０との間のＰＭＩＰ交換が実施され、ステップ２４５で、デフォルト・サービス品質またはデフォルト・サービス・タイプを使用してデフォルト・トラフィックが交換される。
【００１６】
ステップ２４７で音声呼出しが開始され、音声呼出しで、異なるサービス品質またはサービス・タイプが要求される可能性がある。ステップ２５０で、ユーザ装置１０１は、ＤＮＳサーバ１３５にＤＮＳ要求メッセージを送信し、ステップ１５５で、ＤＮＳサーバ１３５は、ユーザ装置にＤＮＳ応答メッセージを送信する。ステップ２５０でのＤＮＳ要求メッセージは、ユーザ装置１０１に対して利用可能にすべき様々な新しいサービス品質またはサービス・タイプをサポートするパケット・データ・ネットワーク・ゲートウェイＰＤＮ  ＧＷ２  １１５に関するアドレスおよび識別情報［ａｄｄｒｅｓｓ  ａｎｄ  ｉｄｅｎｔｉｆｉｃａｔｉｏｎ  ｉｎｆｏｒｍａｔｉｏｎ］を要求し、ステップ２５５でのＤＮＳ応答メッセージは、そうしたサービス品質およびサービス・タイプ（例えば、ＶｏＩＰ、ビデオ・ストリーミング、ビデオＩＰ、リアル・ビデオ［ｒｅａｌ  ｖｉｄｅｏ］など）に関するアドレスおよび識別情報をユーザ装置に提供する。
【００１７】
ＤＮＳサーバ１３５はＲＦＣ  ５０２６プロトコルを使用して動作し、そのことは、モバイル・ノードがＨｏｍｅ  ＡｇｅｎｔのＦｕｌｌｙ  Ｑａｕａｌｉｆｉｅｄ  Ｄｏｍａｉｎ  Ｎａｍｅと共に構成されることを意味する。一例を挙げると、Ｍｏｂｉｌｅ  Ｎｏｄｅは、名前「ｈａ１．ｅｘａｍｐｌｅ．ｃｏｍ」と共に構成することができ、ただし「ｅｘａｍｐｌｅ．ｃｏｍ」は、モビリティ・サービス［ｍｏｂｉｌｉｔｙ  ｓｅｒｖｉｃｅ］を許可するＭＳＰのドメイン名である。モバイル・ノードは、ＱＮＡＭＥをホーム・エージェントの名前に設定することによってＤＮＳ要求を構築する。要求は、「ＡＡＡ」に設定されたＱＴＹＰＥを有し、したがってＤＮＳサーバ１３５は、ホーム・エージェントのＩＰｖ４アドレスを送信する。
【００１８】
ステップ２６０で、ユーザ装置１０１は、ステップ２５５で受信したアドレスおよび識別情報を使用して、ＤＨＣＰメッセージ伝送でパケット・データ・ネットワーク・ゲートウェイＰＤＮ  ＧＷ２  １１５と通信する。ステップ２７０で、サービング・ゲートウェイ１０５とパケット・データ・ネットワークＰＤＮ  ＧＷ２  １１５との間のＰＭＩＰメッセージ交換が実施され、ステップ２７５で、新しいサービス品質またはサービス・タイプを使用して新しいトラフィックが交換される。
【００１９】
図３では、識別およびアドレス情報プロトコルが、ＩＰｖ６メッセージング・プロトコルを使用してＬａｙｅｒ３で動作し、ステップ３０５で、ユーザ装置１０１がサービング・ゲートウェイ１０５との接続を確立するときに開始することが示されている。ステップ３０５の後、ユーザ装置１０１が、ステップ３１０でサービング・ゲートウェイ１０５に対する通信によって認証され、次いでステップ３１５でサービング・ゲートウェイからＡＡＡサーバ１６０に対する通信によって認証される。認証ステップ３１０および３１５の後、ステップ２２０で、Ｌｏｃａｌ  Ａｄｄｒｅｓｓ  ＤａＤ手続きが、ユーザ装置１０１とＤＮＳサーバ１３５との間で連係する。
【００２０】
ステップ３２５で、ユーザ装置１０１は、ＤＮＳサーバ１３５にＤＮＳ要求メッセージを送信し、ステップ３３０で、ＤＮＳサーバ１３５は、ユーザ装置にＤＮＳ応答メッセージを送信する。ステップ３２５でのＤＮＳ要求メッセージは、ユーザ装置１０１に対して利用可能にすべきデフォルト・サービス品質またはデフォルト・サービス・タイプをサポートするパケット・データ・ネットワーク・ゲートウェイＰＤＮ  ＧＷ１  １１０に関するアドレスおよび識別情報を要求し、ステップ３３０でのＤＮＳ応答メッセージは、そうしたデフォルト・サービス品質およびデフォルト・サービス・タイプに関するアドレスおよび識別情報をユーザ装置に提供する。
【００２１】
ＤＮＳサーバ１３５は、ＲＦＣ  ５０２６プロトコルを使用して動作し、そのことは、モバイル・ノードがＨｏｍｅ  ＡｇｅｎｔのＦｕｌｌｙ  Ｑａｕａｌｉｆｉｅｄ  Ｄｏｍａｉｎ  Ｎａｍｅと共に構成されることを意味する。一例を挙げると、Ｍｏｂｉｌｅ  Ｎｏｄｅは、名前「ｈａ１．ｅｘａｍｐｌｅ．ｃｏｍ」と共に構成することができ、ただし「ｅｘａｍｐｌｅ．ｃｏｍ」は、モビリティ・サービスを許可するＭＳＰのドメイン名である。モバイル・ノードは、ＱＮＡＭＥをホーム・エージェントの名前に設定することによってＤＮＳ要求を構築する。要求は、「ＡＡＡＡ」に設定されたＱＴＹＰＥを有し、したがってＤＮＳサーバ１３５は、ホーム・エージェントのＩＰｖ６アドレスを送信する。
【００２２】
ステップ３３５で、ユーザ装置１０１は、サービング・ゲートウェイ１０５との間でＤＨＣＰ通信手続きを送信し、ステップ３４０で、サービング・ゲートウェイ１０５は、ユーザ装置に提供すべきデフォルト・サービスに関する接続としてパケット・データ・ネットワークＰＤＮ  ＧＷ１  １１０に連係する。ステップ３４５で、サービング・ゲートウェイ１０５とパケット・データ・ネットワークＰＤＮ  ＧＷ１  １１０との間のＰＭＩＰ交換が実施され、ステップ３４６で、デフォルト・サービス品質またはデフォルト・サービス・タイプを使用してデフォルト・トラフィックが交換される。
【００２３】
ステップ３４７で音声呼出しが開始され、音声呼出しで、異なるサービス品質またはサービス・タイプが要求される可能性がある。ステップ３５０で、ユーザ装置１０１は、ＤＮＳサーバ１３５にＤＮＳ要求メッセージを送信し、ステップ３５５で、ＤＮＳサーバ１３５は、ユーザ装置にＤＮＳ応答メッセージを送信する。ステップ３５０でのＤＮＳ要求メッセージは、ユーザ装置１０１に対して利用可能にすべき様々な新しいサービス品質またはサービス・タイプをサポートするパケット・データ・ネットワーク・ゲートウェイＰＤＮ  ＧＷ２  １１５に関するアドレスおよび識別情報を要求し、ステップ３５５でのＤＮＳ応答メッセージは、そうしたサービス品質およびサービス・タイプ（例えば、ＶｏＩＰ、ビデオ・ストリーミング、ビデオＩＰ、リアル・ビデオなど）に関するアドレスおよび識別情報をユーザ装置に提供する。
【００２４】
ステップ３６０で、ユーザ装置１０１は、ステップ３５５で受信したアドレスおよび識別情報を使用して、ＤＨＣＰメッセージ伝送でパケット・データ・ネットワーク・ゲートウェイＰＤＮ  ＧＷ２  １１５と通信する。ステップ３６５で、サービング・ゲートウェイ１０５とパケット・データ・ネットワークＰＤＮ  ＧＷ２  １１５との間のＰＭＩＰメッセージ交換が実施され、ステップ３７５で、新しいサービス品質またはサービス・タイプを使用して新しいトラフィックが交換される。
【００２５】
図４では、識別およびアドレス情報プロトコルが、ＩＰｖ４メッセージング・プロトコルを使用してＬａｙｅｒ３で動作し、ステップ４０５で、ユーザ装置１０１がサービング・ゲートウェイ１０５との接続を確立するときに開始することが示されている。ステップ４０５の後、ユーザ装置１０１が、ステップ４１０でサービング・ゲートウェイ１０５に対する通信によって認証され、次いでステップ４１５でサービング・ゲートウェイからＡＡＡサーバ１６０に対する通信によって認証される。
【００２６】
ブートストラッピング・ステップ４２０が、接続手続き中にユーザ装置１０１とＡＡＡサーバ１６０との間で実施され、デフォルト・パケット・データ・ネットワーク・ゲートウェイＰＤＮ  ＧＷ１  １１０に関する識別およびアドレス情報がユーザ装置１０１に提供される。これは、ユーザ装置１０１に対してサポートされる「ベスト・エフォート」型のサービスとなる。このＰＤＮゲートウェイＧＷ１は、ユーザ装置通信に関するデフォルト・サービス品質またはデフォルト・サービス・タイプをサポートする。デフォルト・アドレス指定および識別情報に加えて、ブートストラッピング・ステップ４２０は、ユーザ装置１０１に対して利用可能にすべき様々な新しいサービス品質またはサービス・タイプ（例えば、ＶｏＩＰ、ビデオ・ストリーミング、ビデオＩＰ、リアル・ビデオなど）をサポートするパケット・データ・ネットワーク・ゲートウェイＰＤＮ  ＧＷ２  １１５に関するアドレスおよび識別情報をも提供する。
【００２７】
ステップ４２５では、デフォルト・サービス品質またはデフォルト・サービス・タイプを使用して、ユーザ装置１０１とパケット・データ・ネットワークＰＤＮ  ＧＷ１  １１０との間でデフォルト・トラフィックが交換される。ステップ４２７で、ユーザ装置１０１は、サービング・ゲートウェイ１０５との間でＤＨＣＰ通信手続きを送信し、ステップ４３０で、サービング・ゲートウェイ１０５は、ユーザ装置に提供すべきデフォルト・サービスに関する接続としてパケット・データ・ネットワークＰＤＮ  ＧＷ１  １１０に連係する。ステップ４３５で、サービング・ゲートウェイ１０５とパケット・データ・ネットワークＰＤＮ  ＧＷ１  １１０との間のＰＭＩＰ交換が実施される。
【００２８】
ステップ４３７で音声呼出しが開始され、音声呼出しで、異なるサービス品質またはサービス・タイプが要求される可能性がある。ステップ４４０で、ユーザ装置１０１は、ＡＡＡサーバ１６０から受信したアドレスおよび識別情報を使用して、ＤＨＣＰメッセージ伝送でパケット・データ・ネットワーク・ゲートウェイＰＤＮ  ＧＷ２  １１５と通信する。ステップ４４５で、サービング・ゲートウェイ１０５とパケット・データ・ネットワークＰＤＮ  ＧＷ２  １１５との間のＰＭＩＰメッセージ交換が実施され、ステップ４５０で、新しいサービス品質またはサービス・タイプを使用して新しいトラフィックが交換される。
【００２９】
図５では、識別およびアドレス情報プロトコルが、ＩＰｖ６メッセージング・プロトコルを使用してＬａｙｅｒ３で動作し、ステップ５０５で、ユーザ装置１０１がサービング・ゲートウェイ１０５との接続を確立するときに開始することが示されている。ステップ５０５の後、ユーザ装置１０１が、ステップ５１０でサービング・ゲートウェイ１０５に対する通信によって認証され、次いでステップ５１５でサービング・ゲートウェイ１０５からＡＡＡサーバ１６０に対する通信によって認証される。認証ステップ５１０および５１５の後、ステップ５２０で、Ｌｏｃａｌ  Ａｄｄｒｅｓｓ  ＤａＤ手続きが、ユーザ装置１０１とＤＮＳサーバ１３５との間で連係する。
【００３０】
ブートストラッピング・ステップ５２５が、接続手続き中にユーザ装置１０１とＡＡＡサーバ１６０との間で実施され、デフォルト・パケット・データ・ネットワーク・ゲートウェイＰＤＮ  ＧＷ１  １１０に関する識別およびアドレス情報がユーザ装置１０１に提供される。これは、ユーザ装置１０１に対してサポートされる「ベスト・エフォート」型のサービスとなる。このＰＤＮゲートウェイＧＷ１は、ユーザ装置通信に関するデフォルト・サービス品質またはデフォルト・サービス・タイプをサポートする。デフォルト・アドレス指定および識別情報に加えて、ブートストラッピング・ステップ５２０は、ユーザ装置１０１に対して利用可能にすべき様々な新しいサービス品質またはサービス・タイプ（例えば、ＶｏＩＰ、ビデオ・ストリーミング、ビデオＩＰ、リアル・ビデオなど）をサポートするパケット・データ・ネットワーク・ゲートウェイＰＤＮ  ＧＷ２  １１５に関するアドレスおよび識別情報をも提供する。
【００３１】
ステップ５３０で、ユーザ装置１０１は、サービング・ゲートウェイ１０５との間でＤＨＣＰ通信手続きを送信し、ステップ５３５で、サービング・ゲートウェイ１０５は、ユーザ装置に提供すべきデフォルト・サービスに関する接続としてパケット・データ・ネットワークＰＤＮ  ＧＷ１  １１０に連係する。ステップ５４０で、サービング・ゲートウェイ１０５とパケット・データ・ネットワークＰＤＮ  ＧＷ１  １１０との間のＰＭＩＰ交換が実施される。
【００３２】
ステップ５４２で音声呼出しが開始され、音声呼出しで、異なるサービス品質またはサービス・タイプが要求される可能性があり、ステップ５４５で、デフォルト・サービス品質またはデフォルト・サービス・タイプを使用してデフォルト・トラフィックが交換される。ステップ５５０で、ユーザ装置１０１は、ステップ５２５での先のブートストラップ通信から受信したアドレスおよび識別情報を使用して、ＤＨＣＰメッセージ伝送でパケット・データ・ネットワーク・ゲートウェイＰＤＮ  ＧＷ２  １１５と通信する。ステップ５５５で、サービング・ゲートウェイ１０５とパケット・データ・ネットワークＰＤＮ  ＧＷ２  １１５との間のＰＭＩＰメッセージ交換が実施され、ステップ５６０で、新しいサービス品質またはサービス・タイプを使用して新しいトラフィックが交換される。
【００３３】
図６では、識別およびアドレス情報プロトコルが、ＩＰｖ４メッセージング・プロトコルを使用してＬａｙｅｒ２で動作し、ステップ６０５で、ユーザ装置１０１がサービング・ゲートウェイ１０５との接続を確立するときに開始することが示されている。ステップ６０５の間、デフォルト・パケット・データ・ネットワーク・ゲートウェイＰＤＮ  ＧＷ１  １１０に関する識別およびアドレス情報がユーザ装置１０１に提供される。これは、ユーザ装置１０１に対してサポートされる「ベスト・エフォート」型のサービスとなる。このＰＤＮゲートウェイＧＷ１は、ユーザ装置通信に関するデフォルト・サービス品質またはデフォルト・サービス・タイプをサポートする。デフォルト・アドレス指定および識別情報に加えて、接続ステップ６０５は、ユーザ装置１０１に対して利用可能にすべき様々な新しいサービス品質またはサービス・タイプ（例えば、ＶｏＩＰ、ビデオ・ストリーミング、ビデオＩＰ、リアル・ビデオなど）をサポートするパケット・データ・ネットワーク・ゲートウェイＰＤＮ  ＧＷ２  １１５に関するアドレスおよび識別情報をも提供する。
【００３４】
ステップ６０５の後、ユーザ装置１０１が、ステップ６１０でサービング・ゲートウェイ１０５に対する通信によって認証され、次いでステップ６１５でサービング・ゲートウェイからＡＡＡサーバ１６０に対する通信によって認証される。ブートストラッピング・ステップ６２０が、接続手続き中にユーザ装置１０１とＡＡＡサーバ１６０との間で実施される。
【００３５】
ステップ６２５で、デフォルト・サービス品質またはデフォルト・サービス・タイプを使用して、ユーザ装置１０１とパケット・データ・ネットワークＰＤＮ  ＧＷ１  １１０との間でデフォルト・トラフィックが交換される。ステップ６２７で、ユーザ装置１０１は、サービング・ゲートウェイ１０５との間でＤＨＣＰ通信手続きを送信し、ステップ６３０で、サービング・ゲートウェイ１０５は、ユーザ装置に提供すべきデフォルト・サービスに関する接続としてパケット・データ・ネットワークＰＤＮ  ＧＷ１  １１０に連係する。ステップ６３５で、サービング・ゲートウェイ１０５とパケット・データ・ネットワークＰＤＮ  ＧＷ１  １１０との間のＰＭＩＰ交換が実施される。
【００３６】
ステップ６３７で音声呼出しが開始され、音声呼出しで、異なるサービス品質またはサービス・タイプが要求される可能性がある。ステップ６４０で、ユーザ装置１０１は、ＡＡＡサーバ１６０から受信したアドレスおよび識別情報を使用して、ＤＨＣＰメッセージ伝送でパケット・データ・ネットワーク・ゲートウェイＰＤＮ  ＧＷ２  １１５と通信する。ステップ６４５で、サービング・ゲートウェイ１０５とパケット・データ・ネットワークＰＤＮ  ＧＷ２  １１５との間のＰＭＩＰメッセージ交換が実施され、ステップ６５０で、新しいサービス品質またはサービス・タイプを使用して新しいトラフィックが交換される。
【００３７】
図７では、識別およびアドレス情報プロトコルが、ＩＰｖ６メッセージング・プロトコルを使用してＬａｙｅｒ２で動作し、ステップ７０５で、ユーザ装置１０１がサービング・ゲートウェイ１０５との接続を確立するときに開始することが示されている。ステップ７０５の間、デフォルト・パケット・データ・ネットワーク・ゲートウェイＰＤＮ  ＧＷ１  １１０に関する識別およびアドレス情報がユーザ装置１０１に提供される。これは、ユーザ装置１０１に対してサポートされる「ベスト・エフォート」型のサービスとなる。このＰＤＮゲートウェイＧＷ１は、ユーザ装置通信に関するデフォルト・サービス品質またはデフォルト・サービス・タイプをサポートする。デフォルト・アドレス指定および識別情報に加えて、接続ステップ７０５は、ユーザ装置１０１に対して利用可能にすべき様々な新しいサービス品質またはサービス・タイプ（例えば、ＶｏＩＰ、ビデオ・ストリーミング、ビデオＩＰ、リアル・ビデオなど）をサポートするパケット・データ・ネットワーク・ゲートウェイＰＤＮ  ＧＷ２  １１５に関するアドレスおよび識別情報をも提供する。
【００３８】
ステップ７０５の後、ユーザ装置１０１が、ステップ７１０でサービング・ゲートウェイ１０５に対する通信によって認証され、次いでステップ７１５でサービング・ゲートウェイ１０５からＡＡＡサーバ１６０に対する通信によって認証される。認証ステップ７１０および７１５の後、ステップ７２０で、Ｌｏｃａｌ  Ａｄｄｒｅｓｓ  ＤａＤ手続きが、ユーザ装置１０１とＤＮＳサーバ１３５との間で連係する。
【００３９】
ステップ７３０で、ユーザ装置１０１は、サービング・ゲートウェイ１０５との間でＤＨＣＰ通信手続きを送信し、ステップ７３５で、サービング・ゲートウェイ１０５は、ユーザ装置に提供すべきデフォルト・サービスに関する接続としてパケット・データ・ネットワークＰＤＮ  ＧＷ１  １１０に連係する。ステップ７４０で、サービング・ゲートウェイ１０５とパケット・データ・ネットワークＰＤＮ  ＧＷ１  １１０との間のＰＭＩＰ交換が実施される。
【００４０】
ステップ７４２で音声呼出しが開始され、音声呼出しで、異なるサービス品質またはサービス・タイプが要求される可能性があり、ステップ７４５で、デフォルト・サービス品質またはデフォルト・サービス・タイプを使用してデフォルト・トラフィックが交換される。ステップ７５０で、ユーザ装置１０１は、ステップ７０５での先の接続通信から受信したアドレスおよび識別情報を使用して、ＤＨＣＰメッセージ伝送でパケット・データ・ネットワーク・ゲートウェイＰＤＮ  ＧＷ２  １１５と通信する。ステップ７５５で、サービング・ゲートウェイ１０５とパケット・データ・ネットワークＰＤＮ  ＧＷ２  １１５との間のＰＭＩＰメッセージ交換が実施され、ステップ７６０で、新しいサービス品質またはサービス・タイプを使用して新しいトラフィックが交換される。
【００４１】
本発明は、ホーム・エージェントＩＰｖ４アドレス拡張を使用して、異なるサービス品質およびサービス・タイプをサポートする複数のＰＤＮゲートウェイＧＷアドレスおよび識別情報をサポートすることも企図する。さらに、ＨＮＰ拡張を使用して、異なるサービス品質およびサービス・タイプをサポートする固有の識別およびアドレス指定情報を列挙することもできる。別のプロトコルでは、ＭＡＧまたはサービング・ゲートウェイが、複数のＰＤＮゲートウェイＧＷアドレスを示すのにどれだけのＩＰｖ４アドレスが必要か、および／またはどれだけのＨＮＰが必要かについての表示、ならびに異なるサービス品質およびサービス・タイプをサポートする識別を伴うプロキシ・バインディング更新メッセージを送信する。
【００４２】
本発明の好ましい実施形態を図示し、説明したが、本発明の精神および教示から逸脱することなく、その修正を当業者は行うことができる。本明細書に記載の実施形態は例示的なものに過ぎず、限定的なものではないものとする。本明細書で開示された本発明の多数の変形形態および修正形態が可能であり、それらは本発明の範囲内にある。
【図１】
0005380526.tif 000002
【図２】
0005380526.tif 000003
【図３】
0005380526.tif 000004
【図４】
0005380526.tif 000005
【図５】
0005380526.tif 000006
【図６】
0005380526.tif 000007
【図７】
0005380526.tif 000008